(57)【特許請求の範囲】
【請求項１】
水面に浮遊する油層に対して、高圧水ジエット流を作用させて前記油層を破砕して油水混合体を形成し、この油水混合体を前記高圧水ジエット流を利用して油水管内を移送するようにしたことを特徴とする流出油の回収方法。
【請求項２】
水面に浮遊する油層の一部を水面から隔離し、この隔離された油に対して高圧水ジエット流を作用させて前記油を破砕して油水混合体を形成し、この油水混合体を前記高圧水ジエット流を利用して油水管内を移送するようにしたことを特徴とする流出油の回収方法。
【請求項３】
水面に浮遊する油層の一部を柄状の支持部材の先端に支持された受け器に収容して水面から隔離し、この受け器内の油に対して高圧水ジエット流を作用させて前記油を破砕して油水混合体を形成し、この油水混合体を前記高圧水ジエット流を利用して油水管内を移送するようにしたことを特徴とする請求項２記載の流出油の回収方法。
【請求項４】
水面に浮遊する油層の一部を受け器に収容して水面から隔離し、この受け器内の油に対して高圧水ジエット流を作用させて前記油を破砕して油水混合体を形成し、この油水混合体を前記高圧水ジエット流を利用して油水管内を移送して油水粗分離装置に供給し、この油水粗分離装置で油水分離処理を行なうことを特徴とする流出油の回収方法。
【請求項５】
柄状の支持部材の先端に支持された受け器と、この受け器内に収容された油層を貫通するように高圧水ジエット流を形成するノズルとを有し、このノズルより噴出する高圧水ジエット流によって油層を破砕して油水混合体を形成するように構成したことを特徴とする流出油の回収装置。
【請求項６】
前記柄状の支持部材が前記油水混合体の流れを案内する油水管である請求項５記載の流出油の回収装置。
【請求項７】
前記柄状の支持部材が前記油水混合体を案内する油水管と、高圧水を前記ノズルに供給する高圧水供給管であることを特徴とする請求項５記載の流出油の回収装置。
【請求項８】
前記受け器が、前記油水混合体を案内する油水管に短時間で送給できる量の油水混合体を一時的に保持できることを特徴とする請求項５記載の流出油の回収装置。
【請求項９】
前記受け器は、浅底の掬い部と、この掬い部に続く深底部と、前記掬い部に設けられた仕切り板とからなり、前記深底部にジエット流用ノズルを設け、このノズルに対向して前記油水混合体を案内する油水管の下端の開口を配置したことを特徴とする請求項５記載の流出油の回収装置。
【発明の詳細な説明】
【技術分野】
【０００１】
本発明は、海難事故等で座礁した船舶等から流出した油を回収する方法とその回収装置であって、前記船舶の近傍で作業を行う油回収船の上から、又は海岸に近い場所に漂流している油を、その海岸や堤防等から簡単に回収できる流出油の回収方法及び装置に関する。
【背景技術】
【０００２】
1997年１月２日未明、大しけの日本海（島根県隠岐島沖）で暖房用のＣ重油約19,000klを積んで上海からペトロパブロフスクへ曳航中のロシア船籍の老朽タンカー「ナホトカ号」の破断事故が発生し、船体は浸水し、乗員はボートで避難するが、船長は行方不明となり、後日、福井県の海岸に漂着した。船体は水深約2500ｍの海底に沈没し、その船体から分離した船首部分は強い北西季節風にあおられて漂流し、対馬海岸を横断して越前加賀海岸国立公園内の福井県三国町安島沖に座礁した。そして積み荷の重油は、約6240klが流出し、海底に沈んだ船体の油タンクに残る重油約12,500klの一部はその後も流出し続けている。
【０００３】
海上に流出した重油は福井県をはじめ、日本海沿岸の多数の府県に及ぶ海岸に漂着して環境に大打撃を与えたが、この流出重油の一部は多数の関係者やボランティアの働きによって一部が回収されたことは記憶に新しい。
【０００４】
前記のような海難事故は、冬の極寒の風の強い時に発生することが多いが、この時期の流出重油の回収作業は過酷なものである。つまり、流出重油は冷たい海面に浮上しながら長時間にわたって波浪に揉まれた結果、重油は次第に硬度を増して３０万センチポイズ以上になり、それは柔らかいアスフアルトや布団綿のように変質している。従って、回収船の甲板から下ろした吸入ホースで真空吸引しようとしても、吸入ホースが閉止されて吸引することすらできない。
【０００５】
また、冬季の海面はかなり大きな波浪があり、真空吸引などで油を回収しようとしても、回収船の甲板と油が漂う波の表面との間の距離は、常に大きく変化することから断続的な吸引となり、実質的に作業ができる状態ではない。
【０００６】
そこで、前記のように塊り状に変化している重油に高圧水を噴射して小塊に分離させ、これを船上から伸ばしたヒシャクで掬い上げて回収する方法も採用されたが、この作業にはヒシャクの柄の長さが３．５ｍ以上のものが必要であり、この柄の先に設けた汲取り部に重油を掬った重量は約１０kg以上にも感じられる。  従って、油を入れたヒシャクを海面から船上まで持ち上げて船上のドラム缶に投入する作業には大きな体力を必要とする重労働であり、体力のある若い人でも僅か１５分程度の作業が限度であったとのことである。
【０００７】
一方、海岸の岩場の足場の悪い場所では、柄の短いヒシャクを使用した汲取り作業が行なわれたが、一人の人の１日の作業で、せいぜいドラム缶１本分が限度の非能率さであったという。
【０００８】
このようにタンカーによる油流出事故がしばしば発生することから、流出油の回収には種々な装置や方法が提案されているが、前記のようにポンプで吸引・圧送する方法では、重油などのように簡単に高粘度に変質する油は真空吸引できないという本質的な問題がある。また、水中ポンプで油を吸い込む方法もあるが、水中ポンプ等の装置はかなりの重量があるので、手軽に場所を変えて作業することができない。
【０００９】
更に、回収船の船上より海面に下ろした吸引ホースで海面に浮上している粘性の比較的小さい油膜を吸引する時は、波浪の動きに吸引ホースの先端を追従させて上下させなければないが、重量のある吸引ホースを波の動きに追従させて操作することは大変な作業であり、従って、実際の作業では吸引ホースの先端が海水中に潜って多量の海水を吸引したり、あるいは先端が浮きあがって真空が途切れるので海面に浮き沈みしている油を効率的に吸引が困難であった。
【発明の開示】
【発明が解決しようとする課題】
【００１０】
本発明は、前記のように回収すべき重油のように粘度が高く変質し、真空吸引が困難なものでも、更に、波立つ海面に浮上している油層でも、これを簡単に回収できる、手操作式の流出油の回収方法及び装置を提供するものである。
【課題を解決するための手段】
【００１１】
前記目的を達成するための本発明に係る流出油の回収方法は次のように構成されている。
【００１２】
１）水面に浮遊する油層に対して、高圧水ジエット流を作用させて前記油層を破砕して油水混合体を形成し、この油水混合体を前記高圧水ジエット流を利用して油水管内を移送するようにしたことを特徴としている。
【００１３】
２）水面に浮遊する油層の一部を水面から隔離し、この隔離された油に対して高圧水ジエット流を作用させて前記油を破砕して油水混合体を形成し、この油水混合体を前記高圧水ジエット流を利用して油水管内を移送するようにしたことを特徴としている。
【００１４】
３）水面に浮遊する油層の一部を柄状の支持部材の先端に支持された受け器に収容して水面から隔離し、この受け器内の油に対して高圧水ジエット流を作用させて前記油を破砕して油水混合体を形成し、この油水混合体を前記高圧水ジエット流を利用して油水管内を移送するようにしたことを特徴としている。
【００１５】
４）水面に浮遊する油層の一部を受け器に収容して水面から隔離し、この受け器内の油に対して高圧水ジエット流を作用させて前記油を破砕して油水混合体を形成し、この油水混合体を前記高圧水ジエット流を利用して油水管内を移送して油水粗分離装置に供給し、この油水粗分離装置で油水分離処理を行なうことを特徴としている。
本発明に係る流出油の回収装置は次のように構成したことを特徴としている。  ５）柄状の支持部材の先端に支持された受け器と、この受け器内に収容された油層を貫通するように高圧水ジエット流を形成するノズルとを有し、このノズルより噴出する高圧水ジエット流によって油層を破砕して油水混合体を形成するように構成したことを特徴としている。
【００１６】
６）前記柄状の支持部材が前記油水混合体の流れを案内する油水管であることを特徴としている。
【００１７】
７）前記柄状の支持部材が前記油水混合体を案内する油水管と、高圧水を前記ノズルに供給する高圧水供給管であることを特徴としている。
【００１８】
８）前記受け器が、前記油水混合体を案内する油水管に短時間で送給できる量の油水混合体を一時的に保持できることを特徴としている。
【００１９】
９）前記受け器は、浅底の掬い部と、この掬い部に続く深底部と、前記掬い部に設けられた仕切り板とからなり、前記深底部にジエット流用ノズルを設け、このノズルに対向して前記油水混合体を案内する油水管の下端の開口を配置したことを特徴としている。
【００２０】
従来の海面に浮遊する油層を直接吸引して回収する方法は油の粘度が高くなったり、波浪の大きな時には実質的に回収が不能であった。しかし、本発明に係る流出油の回収方法は、海面に漂う油層から少量の油を大型の塵取り器のような受け器に収容し、回収する油と浮遊している油層とを隔離している状態とする。そしてこの受け器の内部において、油に高圧水ジエット流を作用させて破砕して流動し易い状態とし、これを高圧水ジエット流が発生する負圧作用させて油水管内に吸引し、その押圧力で油回収船の甲板上などに移送する。そして、適当な機構を持つ油水粗分離装置によって油と水に分離し、油を回収するものである。
【００２１】
特に、本発明に係る流出油の回収方法は、高圧水ジエット流を使用して油層の塊り、あるいは集合体を小塊ないし小粒子状に破砕して油水混合体として油水管内に付着し難い状態にしながら、これを油水管内を移送するものである。
【００２２】
従って、特に冬季の冷たい水の中で長期間波に揉まれ、その結果、アスフアルト状に硬く変質して大きな塊のようになった油でも、高圧水ジエット流の貫通作用で簡易に粉砕処理し、細かくなった油と水とからなる、移動し易い混合体とすることができ、従って、これを簡単に回収，移送することができる。
【００２３】
このように変質した油の塊りは高圧水ジエット流によって破砕されて小塊あるいは小粒子状となる上に、高圧水ジエット流の吸引作用と押圧作用により簡単に所定の場所、例えば油回収船上まで移送できる上に、油水粗分離装置で容易に油水の粗分離処理することができるものである。
【００２４】
更に、本発明に使用する小型の流出油の回収装置は、手で操作できる程度に小型化することが可能であり、流出油の状況に応じて、運搬と操作が容易であり、更に、特別な熟練を必要としないことから、何時でも何処でも、誰でも油回収作業を行うことができるものである。
【発明の効果】
【００２５】
本発明に係る流出油の回収方法は、水面に浮遊する油層の一部を水面から隔離し、この隔離された油に対して高圧水ジエット流を作用させて前記油を破砕して油水混合体を形成し、この油水混合体を前記高圧水ジエット流を利用して油水管内を移送するようにしたことを特徴としている。
【００２６】
従って、例えば冬季の冷たい海水に揉まれて流出油の硬度が増した油塊となったものでも、これを高圧水ジエット流で簡単に破砕して小塊ないし小粒の状態の油水混合体を形成し、これを高圧水ジエット流の圧力で搬送できるので、油の回収作業を効率的に行うことができる。
【００２７】
特に、油回収装置の先端に設けた受け器によって浮遊する油層の一部を掬い取って海面から分離した状態とし、これに高圧水ジエットを作用させて小塊や微粉状に破砕して油水混合体を形成して所定の油水分離装置で油水分離して油を回収することができるので、波浪により大きく上下する海面に浮上する流出油でも、単に油を小量づつ海面から掬う動作を行うだけで良いことから、波浪の状態に関係なく、効率的に回収することができる。
【００２８】
また、本発明に係る流出油の回収装置は、柄状の支持部材の先端に支持された受け器と、この受け器内に収容された油層を貫通するように高圧水ジエット流を形成するノズルとを有し、このノズルより噴出する高圧水ジエット流によって油層を破砕して油水混合体を形成するように構成されている。
【００２９】
従って、この油回収作業は季節や場所に関係なく、海面に流出している油の回収を簡単な作業で行うことができる。特に、この作業は熟練を必要としないことから、経験のない作業者でも簡単に行うことができる。
【発明を実施するための最良の形態】
【００３０】
図１は、本発明に係る流出油の回収装置を使用して海面に浮上している重油などの油を回収している状態を示している。
【００３１】
油回収船１の甲板（あるいは岸壁や岩場など）に作業者２が立って小型油回収装置３を操作し、海面４に浮遊している油５（タンカーからの流出油など）を前記油回収装置３の受け器６内に所定量を掬い取り、一時的に海面から離脱させて関係を絶った上で、高圧駆動水ポンプ７より送り出される高圧水をホース８を経由して高圧水管９内に供給し、この高圧水管９の先端に設けてあるノズルを介して油水管１０内に噴射して前記受け器６内の油５を、このノズルから噴射される高圧水のジエット流で破砕と攪拌作用を与えることによって配管内に付着し難い性質を持つ油水混合体とし、ジエット流の周囲に発生する負圧によって吸引しながら駆動力を与えて移送するものである。
【００３２】
高圧水ジエット流の駆動力によって油水管１０内を流動した油水混合体は、この油水管１０に接続されている油水ホース１２で油水粗分離装置１３に供給され、ここで油水の分離作用を受け、分離された水は、排水管１４により前記高圧駆動水ポンプ７に供給されて加圧される。
【００３３】
そして高圧駆動水ポンプ７で加圧されてホース８を経由して前記高圧水管９に還流（リサイクル）させてノズルより噴射される。また、前記油水粗分離装置１３で分離処理された油は、回収油として排出口１６よりドラム缶等の容器１７内に収容される。なお、１８は油水粗分離装置１３の排水バルブであり、この分離装置１３内の液面を保持する場合に自動あるいは手動で操作されるものである。
【００３４】
また、本発明に係る小型油回収装置３は手持型である。更に操作性を良くするために肩掛けベルト１５で重量を負担したり、更にスプリングバランサー２０を使用して重量を吊り上げる等の方法で操作性を向上させることもできる。
【００３５】
小型油回収装置３は、図２（Ａ）に全体構造を示すように、太い管からなる油水管１０を回収装置の本体部分とし、これの途中から高圧水管９を平行に並べ、油水管１０と高圧水管９の先端に大型の塵取り器、あるいはスコップ状の受け器６を固定している。また、図３に示すように受け器６は油水管１０に対して約３０度傾斜させ固定することで図１に示すように油回収船１の甲板等の上方から流出油を、スコップあるいは大型のひしゃくで掬い上げる作業を行い易いようにしてある。また、前記油水管１０の根元部分１０ａは、図２（Ｂ）のように約１５度下向きに傾斜して小脇に抱えて作業をし易くしてある。
【００３６】
また、油水管１０の途中には十字形にハンドル１０ｂと、図２（Ｃ）に示すリング状の握り部１０ｃを設けて持ち易くすると共に、粘性の高い油層に対して受け器６の掬い入れ方向を容易に調節できるようにしている。また、このハンドル１０ｂの下方に塩化ビニル管１０ｄ（滑り性のあるカバー材）を設けて船の甲板のへりを滑り易くしてある。なお、１０ｅは油水管１０を流れる油水混合体の送出口であり、また、９ａは高圧水の供給口である。
（硬くなった油の破砕構造）
図４（Ｃ）および図５に示すように、受け器６の深底部６ｂの底面には高圧水管９を接続部材９ｂを介して油水管１０の下端の開口に対面させ、前記接続部材９ｂに上向きにノズル９ｃを設け、そのノズル９ｃと前記油水管１０の開口部１０ｇとの間に所定の距離ｄを置いて臨ませている。
【００３７】
この距離ｄは、受け器６の深底部６ｂに流入された油を高圧水ジエット流Ｊ（図６）で破砕すると共に油水管１０に吸引させるための空間である。これが余り広いと前記ノズル９ｃより噴出する高圧水ジエット流Ｊが油の塊や海水の厚さによる抵抗を受けて弱められ、所定の送水圧力を発生しなくなる。また、逆に余り狭いと油水管１０に負圧で吸引される油水混合体の量が少なくなる傾向があるので最適な値を採用する必要がある。
【００３８】
海面４に浮遊している油５は、図５（Ａ）に示す仕切り板６ｄを乗り越えて受け器６内に掬われ、深底部６ｂに溜められる。そしてノズル９ｃより噴出する高圧水ジエット流Ｊにより破砕作用を受けて油水混合体となり、油水管１０の開口部１０ｇの周囲に発生する負圧により吸い込まれ、更にジエット流Ｊで高速で流し込まれて油水混合体の状態で油水管１０中を上昇し、図２に示す送出口１０ｅより油水ホース１２内に送り込まれる。
【００３９】
油回収部２１は図４（Ａ）のように、油を掬い取る大型の塵取り器状あるいは大型のスコップ状の受け器６に、太径の油水管１０と小径の高圧水管９が接続されている。
【００４０】
この受け器６は、図４に示すように受入れ部６ａと深底部６ｂを有し、この受入れ部６ａの底面は油を深底部６ｂ側に流すように傾斜面６ｃを設け、更に先端部に仕切り板６ｄを設けて掬い取った油が排出されないようになっている。
【００４１】
従って、本発明に係る小型油回収装置３を使用する際の季節による油の粘度などの性状変化を考慮して、前記ノズル９ｃと開口部１０ｇとの距離ｄを調整できる構造を採用すると、油の粘度等の性質に合わせたジエット送水効果を得ることができることになる。
【００４２】
図６は、受け器６の深底部６ｂに向けて延長されている油水管１０の下端の円錐状の開口部１０ｇに対して、高圧水管９の先端に設けられたノズル９ｃより噴出する高圧水ジエット流Ｊにより塊状の掬上油５ｄが破砕され、小塊５ａとなって油水混合体５ｂを形成し、ジエット流Ｊに伴う負圧により油水管１０の開口１０ｇより吸込まれ、移送される様子を示している。なお、小塊５ａとなった油５ｄは、海水によって個々に分離されるので、この海水を一種の潤滑油として油水管１０内を容易に移動可能である。
【００４３】
図１に示すように、本発明に係る小型油回収装置３は油回収船１上に配置されている高圧駆動水ポンプ７と油水分離装置１３を駆動した状態で、甲板上の作業者２が手操作して高圧水ホース８を経由して、図６に示すようにノズル９ｃより送出される高圧水ジエット流Ｊを、受け器６内の掬上油５ｄの下方から上方に向けて油水管１０内に噴射して掬上油５ｄの塊を破砕しながら海水との混合体である油水混合体５ｂを形成しながら油水管１０内を移送する。
【００４４】
そして前記油水分離装置１３で処理して油５と水とを分離させ、この分離水を高圧駆動水ポンプ７側に還流（リサイクル）させながら前記油回収の作業を行うのである。
【００４５】
実際の油回収操作においては、図７に示すように海面４に波浪が発生し、海面４は大きく上下している。従って、前記のように海面４に浮遊している油５を従来の真空吸引で回収操作で行うことは困難である。
【００４６】
しかし、本発明に係る小型油回収装置は、図７（Ａ）のように波頭４ａの油と海水の混合流体を受け器６（油回収部２１）で掬い取って海面に浮遊している油層と隔離する。
【００４７】
しかる後、波頭４ａは移動して（Ｂ）図のように谷部４ｂとなって受け器６は海面４より離れた状態となるが、この間は前記受け器６内の掬上油水５ｄは図６に示されるような高圧水ジエット流Ｊにより油水管１０中に破砕作用を受けると共に吸引されながら強力に押し込まれ、油水ホース１２を介して油水分離装置１３に送り込まれる。
【００４８】
つまり、本発明に係る小型油回収装置３は海面４に発生する波浪と隔離された状態で、浮遊している油５を受け器６で海水と共に掬い取り、この受け器６内において高圧水ジエット流Ｊを作用させて破砕し、形成された油水混合体に駆動力を与えながら所定の場所（例えば回収船上）に移送し回収することができるのである。
【００４９】
油回収船１上に搭載する油水粗分離装置１３には各種の油水分離装置を使用することができるが、簡易な装置としては、図８に示すような静置・重力分離方式のものを採用しても良い。
【００５０】
この油水粗分離装置１３は、図８（Ａ）及び図９に示すように、本体１３ａに油水供給口１３ｂと分離水排出口１３ｃと分離油排出口１６を設け、更にその内部に静置・重力分離方式の分離素子１３ｅが設けられている。
【００５１】
この分離素子１３ｅは、図８（Ｃ，Ｄ）のように上下方向に３０〜４０ｍｍの穴開板を流れに対して抵抗するように配置された整流板１３ｆと、水平板１３ｇ（分離促進板）で構成されている。この水平板１３ｇは移動中に浮上する油滴を付着させて捕集できるポリプロピレンやポリエチレン板等の合成樹脂板あるいは合成樹脂コート等で表面処理した金属板を所定の間隔で支持して多層板方式に配置されている。
【００５２】
また、前記本体１３ａの上層位置には液面センサー１３ｈと油水境界面センサー１３ｉが設けられ、油水混合体５ｂ（図６）より分離された油の状態が常時検査され、その信号は適当な場所（例えば、図２に示した小型油回収装置３のハンドル１０ｂ部分や本体１３ａなど）に付けたメーターに表示されて作業者２がこれを時々監視しながら受け器６内の掬上油５ｄの量を調整することができる。
【００５３】
また、前記液面センサー１３ｈと油水境界面センサー１３ｉの信号によって排水弁１８（図１）を電気的に制御することによってこの油水粗分離装置１３の自動運転を行うことができる。
【００５４】
油回収部２１によって高圧水ジエットＪの衝撃的な作用により破砕処理されて油水粗分離装置１３に供給された油水混合体５ｂは、本体１３ａ内においては速度が緩やかになるが、その際に比較的大きな小塊５ａは浮上して場所Ｂ（図８ａ）に集合して油層を形成しながら排出口１６（図１）より排出され、容器１７に収容される。
【００５５】
また、残りの油水混合体５ｂの小さな塊の油は分離素子１３ｅ側にゆっくりと移動し整流板１３ｆの整流作用と、水平板１３ｇの付着分離作用により、この水平板１３ｇの下面に付着して油層に成長する。この油層は稼働時間を見ながら、いったん装置を停止して内部を排水し、本体１３ａに開口されている作業穴から高圧水や圧縮空気を噴射洗浄して分離機能を回復させることができる。
【００５６】
簡易型の油水粗分離装置１３には各種のタイプのものを使用できるが、例えば、図９に示すようにプラスチックコンテナーやドラム缶などの容器にパッケージ化された整流板と分離促進板である水平板を入れて即席の油水粗分離装置とすることもできる。
【００５７】
本発明に係る小型油回収機システムは、前記のように油回収船１等の上から使用するものや、更に軽量化された簡易型のものも採用できる。
【００５８】
図１０及び図１１には本発明の変形例であって、スコップ感覚で使用できる小型油回収具３Ａであって、油水管１０Ａと高圧水管９Ａを柄部とし、この柄部の先端に受け器６Ａと接続部材９Ｂとノズルからなる油回収部２１Ａを設けている。そして両管１０Ａ、９Ａの先端部にはそれぞれ接続部１０１、９１が設けられ、これに図１に示すホース８と油水ホース１２を接続して油回収作業を行う。
【図面の簡単な説明】
【００５９】
【図１】本発明に係る流出油回収装置の説明図である。
【図２】（Ａ）は回収装置の正面図、（Ｂ）は油水管からなる柄部の側面図、そして（Ｃ）は握り部の正面図である。
【図３】受け器と油水管との状態を示す側面図である。
【図４】（Ａ）は油水回収部の平面図、（Ｂ）同側面図、（Ｃ）は（Ａ）図におけるＣ−Ｃ断面図である。
【図５】（Ａ）は油回収部の説明用側面図、（Ｂ）同平断面図である。
【図６】油回収部の作用説明図である。
【図７】（Ａ）は流出油を受け器で掬う作業の波頭で油を掬う状態の説明図、（Ｂ）は波の谷部と受け器との関係を示す図である。
【図８】（Ａ）は油水粗分離装置の一例の説明図における横断面図、（Ｂ）は同平面図、（Ｃ）は分離素子の横面図、（Ｄ）は整流板の正面図である。
【図９】プラスチックコンテナーを使用した油水粗分離装置の要部を示す斜視図である。
【図１０】別の実施の形態に係る小型油回収機の正面図である。
【図１１】同小型油回収機の側面図である。
【符号の説明】
【００６０】
１  油回収船  
３  小型油回収装置      
５  油  
５ａ  油の小塊      
５ｂ  油水混合体      
５ｄ  掬上油
６  受け器      
６ａ  受入れ部      
６ｂ  深底部      
６ｃ  傾斜面
６ｄ  仕切り板      
７  高圧水ポンプ      
８  ホース    
９  高圧水管    
９ａ  供給口      
９ｂ  接続部材      
９ｃ  ノズル
１０  油水管        
１０ｂ  ハンドル      
１０ｃ  握り部  
１０ｄ  握り部      
１０ｅ    送出口      
１０ｇ  開口部    
１０ｈ  拡開部      
１２  油水ホース    
１４  排水管    
１６  排出口  
２０  スプリングバランサー      
２１  油回収部
Ｊ  高圧水ジエット
【図１】
0004756625.tif 000002
【図２】
0004756625.tif 000003
【図３】
0004756625.tif 000004
【図４】
0004756625.tif 000005
【図５】
0004756625.tif 000006
【図６】
0004756625.tif 000007
【図７】
0004756625.tif 000008
【図８】
0004756625.tif 000009
【図９】
0004756625.tif 000010
【図１０】
0004756625.tif 000011
【図１１】
0004756625.tif 000012